(57)【要約】    【課題】      ＳＳＤＴ動作時に最適なＲＡＫＥ合成を行えるようにすること。    【解決手段】  プライマリセル判定部１１０は、ＳＳＤＴ動作時に各セルのＲＳＣＰのうち最も大きいＲＳＣＰを持つセルをＲＡＫＥ合成対象のプライマリセルと判定する。上り回線が劣化した場合や、コンプレストギャップにより伝送できるＦＢＩビット数がＩＤ  ｃｏｄｅ長に対して一定の割合以下になる場合、制御部１１１は、プライマリセル以外からもＤＰＤＣＨが送信されると判断し、ＲＡＫＥ合成対象をプライマリセルに限定せず、ＤＰＤＣＨを送信すると推定されるセル全てを対象とするようにプライマリセル判定部１１０を制御する。  【選択図】      図１
2006101210.tif 000002
【特許請求の範囲】
【請求項１】
各セルのプライマリ・共通パイロットチャネルの受信レベルを測定する測定手段と、前記受信レベルが最も大きいセルをレイク合成対象であるプライマリセルと判定するとともに、そのセルの識別子に基づき各セルに送信するフィードバック情報ビットを生成する判定手段と、ＳＳＤＴ（Ｓｉｔｅ  Ｓｅｌｅｃｔｉｏｎ  Ｄｉｖｅｒｓｉｔｙ  Ｔｒａｎｓｍｉｔ）時において、各セルに対する上り回線品質が所定の値より劣化した場合に前記判定手段に対してレイク合成対象を前記プライマリセルに限定しないように指示を出す制御手段と、を具備することを特徴とする無線通信端末装置。
【請求項２】
各セルのプライマリ・共通パイロットチャネルの受信レベルを測定する測定手段と、前記受信レベルが最も大きいセルをレイク合成対象であるプライマリセルと判定するとともに、そのセルの識別子に基づき各セルに送信するフィードバック情報ビットを生成する判定手段と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、前記判定手段に対してレイク合成対象を前記プライマリセルに限定しないように指示を出す制御手段と、を具備することを特徴とする無線通信端末装置。
【請求項３】
各セルのプライマリ・共通パイロットチャネルの受信レベルを測定する測定手段と、前記受信レベルが最も大きいセルをレイク合成対象であるプライマリセルと判定するとともに、そのセルの識別子に基づき各セルに送信するフィードバック情報ビットを生成する判定手段と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、前記測定手段に測定処理を停止させ前記判定手段にプライマリセルの判定処理とフィードバック情報ビットの生成処理とを停止させる前記制御手段と、を具備することを特徴とする無線通信端末装置。
【請求項４】
ＣＤＭＡ移動通信システムにおける無線通信端末装置において、各セルのプライマリ・共通パイロットチャネルの受信レベルを測定する工程と、前記受信レベルの大きいセルをレイク合成対象であるプライマリセルと判定するとともに、そのセルの識別子に基づき各セルに送信するフィードバック情報ビットを生成する工程と、ＳＳＤＴ時において、各セルに対する上り回線品質が劣化した場合にレイク合成対象を前記プライマリセルに限定しないように制御する工程と、を具備することを特徴とする無線通信制御方法。
【請求項５】
ＣＤＭＡ移動通信システムにおける無線通信端末装置において、各セルのプライマリ・共通パイロットチャネルの受信レベルを測定する工程と、前記受信レベルの大きいセルをレイク合成対象であるプライマリセルと判定するとともに、そのセルの識別子に基づき各セルに送信するフィードバック情報ビットを生成する工程と、ＳＳＤＴ時ににおけるコンプレストモード時において、コンプレストギャップに関する情報とＳＳＤＴの識別子コード長とから上りリンクで伝送できるフィードバック情報ビット数が識別子コード長に対して一定の割合以下になる場合に、レイク合成対象を前記プライマリセルに限定しないように制御する工程と、を具備することを特徴とする無線通信制御方法。
【請求項６】
ＣＤＭＡ移動通信システムにおける無線通信端末装置において、各セルのプライマリ・共通パイロットチャネルの受信レベルを測定する工程と、前記受信レベルの大きいセルをレイク合成対象であるプライマリセルと判定するとともに、そのセルの識別子に基づき各セルに送信するフィードバック情報ビットを生成する工程と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、前記受信レベルの測定処理を停止させるとともに、プライマリセルの判定処理とフィードバック情報ビットの生成処理とを停止させる工程と、を具備することを特徴とする請求項５記載の無線通信制御方法。
【発明の詳細な説明】
【技術分野】
【０００１】
本発明は、無線通信端末装置及び無線通信制御方法に関し、特に符号分割多元接続（Ｃｏｄｅ  Ｄｉｖｉｓｉｏｎ  Ｍｕｌｔｉｐｌｅ  Ａｃｃｅｓｓ；以下、ＣＤＭＡという）通信システムにおける無線通信端末装置及び無線通信制御方法に関する。
【背景技術】
【０００２】
非特許文献１では、無線接続ネットワーク規格として、送信ダイバーシティの一つであるＳＳＤＴ（Ｓｉｔｅ  Ｓｅｌｅｃｔｉｏｎ  Ｄｉｖｅｒｓｉｔｙ  Ｔｒａｎｓｍｉｔ）について記載されている。また、特許文献１では、ＳＳＤＴに関する技術が紹介されている。
【０００３】
図４は、ＳＳＤＴ時における動作を説明するシステム図である。図４では、互いに一部が重複する３つのセル（Ｃｅｌｌ＃０）４０１、（Ｃｅｌｌ＃１）４０２、（Ｃｅｌｌ＃２）４０３と、セル内で移動する移動局（ＭＳ）４０４とが示されている。
【０００４】
図４において、移動局（ＭＳ）４０４は、各セル（＝基地局（ＢＴＳ））のプライマリ・共通パイロットチャネル（Ｐ−ＣＰＩＣＨ：Ｐｒｉｍａｒｙ  Ｃｏｍｍｏｎ  Ｐｉｌｏｔ  ＣＨａｎｎｅｌ））の受信レベル（ＲＳＣＰ：Ｒｅｃｅｉｖｅｄ  Ｓｉｇｎａｌ  Ｃｏｄｅ  Ｐｏｗｅｒ）を測定し、最も受信強度が大きいセルをプライマリセル（Ｐｒｉｍａｒｙ  Ｃｅｌｌ）として選択し、その他のセルをノンプライマリセル（Ｎｏｎ  Ｐｒｉｍａｒｙ  Ｃｅｌｌ）として選択する。
【０００５】
図４では、セル（＝基地局（ＢＴＳ））４０１がプライマリセルとして選択され、セル（＝基地局（ＢＴＳ））４０２とセル（＝基地局（ＢＴＳ））がそれぞれノンプライマリセルとして選択されたことが示されている。
【０００６】
そして、移動局（ＭＳ）４０４は、そのプライマリセルとして選択したセルの識別子ラベル（ＩＤ  Ｌａｂｅｌ）を制御チャネルのフィードバック識別情報（ＦＢＩ：Ｆｅｅｄ  Ｂａｃｋ  Ｉｎｄｉｃａｔｏｒ）フィールドを用いて各セルに送信する。
【０００７】
各セル（＝基地局）では、プライマリセルとして選択されたセルのみが個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）及び個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）を送信し、ノンプライマリセルとして選択されたセルがＤＰＣＣＨのみを送信する。これによって、下り送信を行うセル数を制限し、下り干渉量を減らすことができる。
【０００８】
また、同規格には、コンプレストモード（Ｃｏｍｐｒｅｓｓｅｄ  ｍｏｄｅ）について記載されている。このコンプレストモードでは、異周波数間ハンドオーバー時に、移動局は周波数を切り替えて同期確立等を行うための時間が必要となるので、アクティブなリンクのフレームの一部を送信停止し、その間にハンドオーバー先の周波数の様々な測定が行われる。
【非特許文献１】特開２００１−２１８２５４号公報
【非特許文献２】３ＧＰＰ  ＴＳ  ２５．２１４「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｐｈｙｓｉｃａｌ  ｌａｙｅｒ  ｐｒｏｃｅｄｕｒｅｓ（ＦＤＤ）」
【発明の開示】
【発明が解決しようとする課題】
【０００９】
しかしながら、ＳＳＤＴ動作時において、ハードハンドオーバなどの理由で上り回線の品質が劣化した場合に、或いは、コンプレストモード時のコンプレストギャップによって上りリンクで伝送されるＦＢＩビット数が減少し一定の割合以上が失われ移動局が決定したプライマリセル以外のセルがＤＰＤＣＨを送信する状況である場合に、移動局は自ら決定したプライマリセルのみをレイク（ＲＡＫＥ）合成対象とするので、最適なＲＡＫＥ合成が行えないという問題がある。
【００１０】
図３を参照して具体的に説明する。なお、図３は、コンプレストモードでの上りスロットの構成を示す図である。図３において、コンプレストモードでの上りスロットは、プライマリセルのみがＤＰＤＣＨを送信するノーマルフレーム（Ｎｏｒｍａｌ  Ｆｒａｍｅ）３０１及びコンプレストフレーム（Ｃｏｍｐｒｅｓｓｅｄ  Ｆｒａｍｅ）３０２と、全てのセルがＤＰＤＣＨを送信するノーマルフレーム（Ｎｏｒｍａｌ  Ｆｒａｍｅ）３０３とで構成される。１スロットに１ビットのＦＢＩの送信の場合は、各フレームは、共に１５ビット伝送が可能である。
【００１１】
コンプレストモード時の動作では、図３において、ＳＳＤＴのＦＢＩビット数が１ビットであり、かつＩＤ  ｃｏｄｅが長い場合は、ＦＢＩビットはコンプレストフレーム（Ｃｏｍｐｒｅｓｓｅｄ  Ｆｒａｍｅ）３０２の１５スロット区間を用いて移動局から各セルに伝送される。ところが、コンプレストフレーム（Ｃｏｍｐｒｅｓｓｅｄ  Ｆｒａｍｅ）３０２では、コンプレストギャップ（ＧＡＰ）が７スロットである場合、ＦＢＩビットは１５ビット中の８ビットしか伝送されないことになる。この場合、各セルは、３ＧＰＰの規定にあるように、全ＦＢＩビットの１／３以上が失われた場合は、ＤＰＤＣＨを送信するように動作する。
【００１２】
一方、移動局では、ＲＡＫＥ合成処理部が上り回線情報を考慮せずプライマリセル情報のみを参照して動作しているので、上記のように全てのセルがＤＰＤＣＨを送信する状況になっているにも拘わらず、自らプライマリセルと決定した１つのセルからの信号のみをＲＡＫＥ合成対象としてしまうことが起こる。
【００１３】
本発明は、かかる点に鑑みてなされたものであり、ＳＳＤＴ動作時に上り回線の品質が劣化した場合、或いは、コンプレストモード時にコンプレストギャップによってＦＢＩビット数が一定の割合以上伝送できない場合、ＲＡＫＥ合成対象をプライマリセルに限定しないように制御することのできる無線通信端末装置（移動局）及び無線通信制御方法を提供することを目的とする。
【課題を解決するための手段】
【００１４】
かかる課題を解決するため、本発明に係る無線通信端末装置は、各セルのプライマリ・共通パイロットチャネルの受信レベルを測定する測定手段と、前記受信レベルが最も大きいセルをレイク合成対象であるプライマリセルと判定するとともに、そのセルの識別子に基づき各セルに送信するフィードバック情報ビットを生成する判定手段と、ＳＳＤＴ時において、各セルに対する上り回線品質が所定の値より劣化した場合に前記判定手段に対してレイク合成対象を前記プライマリセルに限定しないように指示を出す制御手段とを具備する構成を採る。
【００１５】
この構成によれば、無線通信端末装置は、各セルに対する上り回線品質が劣化した場合に、自ら判断したプライマリセル以外のセルもＲＡＫＥ合成対象とすることができるので、最適なＲＡＫＥ合成が行えるようになる。
【００１６】
本発明に係る無線通信端末装置は、各セルのプライマリ・共通パイロットチャネルの受信レベルを測定する測定手段と、前記受信レベルが最も大きいセルをレイク合成対象であるプライマリセルと判定するとともに、そのセルの識別子に基づき各セルに送信するフィードバック情報ビットを生成する判定手段と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、前記判定手段に対してレイク合成対象を前記プライマリセルに限定しないように指示を出す制御手段とを具備する構成を採る。
【００１７】
この構成によれば、無線通信端末装置は、複数のセルがＤＰＤＣＨを送信する状況となった場合に、自ら判断したプライマリセル以外のセルもＲＡＫＥ合成対象とすることができるので、最適なＲＡＫＥ合成が行えるようになる。
【００１８】
本発明に係る無線通信端末装置は、各セルのプライマリ・共通パイロットチャネルの受信レベルを測定する測定手段と、前記受信レベルが最も大きいセルをレイク合成対象であるプライマリセルと判定するとともに、そのセルの識別子に基づき各セルに送信するフィードバック情報ビットを生成する判定手段と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、前記測定手段に測定処理を停止させ、前記判定手段にプライマリセルの判定処理とフィードバック情報ビットの生成処理とを停止させる制御手段とを具備する構成を採る。
【００１９】
この構成によれば、コンプレストモード時のギャップによってフィードバック情報ビット数（ＦＢＩビット数）が一定の割合以上伝送できない場合は、受信レベルの測定処理とプライマリセルの判定処理とを停止するので、ギャップから復帰後の受信スロットで全セルをＲＡＫＥ合成対象とすることができる。また、ＦＢＩビット数が一定の割合以上伝送できない場合は、ＦＢＩビットを伝送したとしてもセル側がＦＢＩビットを考慮しない場合には無駄になるので、受信レベル測定処理、プライマリセル判定処理及びＦＢＩビット生成処理を停止することができる。したがって、コンプレストモードでの処理量を削減することができ、低消費電力化が図れる。
【００２０】
本発明に係る無線通信制御方法は、ＣＤＭＡ移動通信システムにおける無線通信端末装置において、各セルのプライマリ・共通パイロットチャネルの受信レベルを測定する工程と、前記受信レベルの大きいセルをレイク合成対象であるプライマリセルと判定するとともに、そのセルの識別子に基づき各セルに送信するフィードバック情報ビットを生成する工程と、ＳＳＤＴ時において、各セルに対する上り回線品質が劣化した場合にレイク合成対象を前記プライマリセルに限定しないように制御する工程とを具備するようにした。
【００２１】
この方法によれば、無線通信端末装置は、各セルに対する上り回線品質が劣化した場合に自ら判断したプライマリセル以外のセルもＲＡＫＥ合成対象とすることができるので、最適なＲＡＫＥ合成が行えるようになる。
【００２２】
本発明に係る無線通信制御方法は、ＣＤＭＡ移動通信システムにおける無線通信端末装置において、各セルのプライマリ・共通パイロットチャネルの受信レベルを測定する工程と、前記受信レベルの大きいセルをレイク合成対象であるプライマリセルと判定するとともに、そのセルの識別子に基づき各セルに送信するフィードバック情報ビットを生成する工程と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、レイク合成対象を前記プライマリセルに限定しないように制御する工程とを具備するようにした。
【００２３】
この方法によれば、無線通信端末装置は、複数のセルがＤＰＤＣＨを送信する状況となった場合に、自ら判断したプライマリセル以外のセルもＲＡＫＥ合成対象とすることができるので、最適なＲＡＫＥ合成が行えるようになる。
【００２４】
本発明に係る無線通信制御方法は、ＣＤＭＡ移動通信システムにおける無線通信端末装置において、各セルのプライマリ・共通パイロットチャネルの受信レベルを測定する工程と、前記受信レベルの大きいセルをレイク合成対象であるプライマリセルと判定するとともに、そのセルの識別子に基づき各セルに送信するフィードバック情報ビットを生成する工程と、ＳＳＤＴ時におけるコンプレストモード時において、コンプレストギャップに関する情報とＳＳＤＴの識別子コード長とから上りリンクで伝送できるフィードバック情報ビット数が識別子コード長に対して一定の割合以下になる場合に、前記受信レベルの測定処理を停止させるとともに、プライマリセルの判定処理とフィードバック情報ビットの生成処理とを停止させる工程とを具備するようにした。
【００２５】
この方法によれば、コンプレストモード時のギャップによってフィードバック情報ビット数（ＦＢＩビット数）が一定の割合以上伝送できない場合は、受信レベルの測定処理とプライマリセルの判定処理とを停止するので、ギャップから復帰後の受信スロットで全セルをＲＡＫＥ合成対象とすることができる。また、ＦＢＩビット数が一定の割合以上伝送できない場合は、ＦＢＩビットを伝送したとしてもセル側がＦＢＩビットを考慮しない場合には無駄になるので、受信レベル測定処理、プライマリセル判定処理及びＦＢＩビット生成処理を停止することができる。したがって、コンプレストモードでの処理量を削減することができ、低消費電力化が図れる。
【発明の効果】
【００２６】
本発明によれば、ＳＳＤＴ動作時に上り回線の品質が劣化した場合に、或いは、コンプレストモード時にコンプレストギャップによってＦＢＩビット数が一定の割合以上伝送できず複数のセルがＤＰＤＣＨを送信する状況となった場合に、ＲＡＫＥ合成対象をプライマリセルに限定しないようにすることができるので、最適なＲＡＫＥ合成が行えるようになる。
【発明を実施するための最良の形態】
【００２７】
本発明の骨子は、ＳＳＤＴ動作時に上り回線の品質が劣化した場合に、或いは、コンプレストモード時にコンプレストモード情報並びにギャップ長から上りリンクで伝送できるＦＢＩビット数が一定の割合以下になり複数のセルがＤＰＤＣＨを送信する状況となった場合に、判定したプライマリセルだけでなくＤＰＤＣＨを送信すると推定される全セルをＲＡＫＥ合成対象とすることである。
【００２８】
以下、本発明の実施の形態について図面を参照して詳細に説明する。
【００２９】
（実施の形態１）
図１は、本発明の実施の形態１に係る無線通信端末装置（移動局）の構成を示すブロック図である。図１において、実施の形態１に係る無線通信端末装置（移動局）は、アンテナ１０１が接続される無線部（ＲＦ）１０２と、無線部（ＲＦ）１０２の受信出力端が接続されるＡ／Ｄ変換器１０３と、Ａ／Ｄ変換器１０３の出力端に並列に接続される複数の逆拡散部１０４ａ、１０４ｂと、各逆拡散部１０４ａの出力端に接続される位相推定部１０５の複数個と、各逆拡散部１０４ｂの出力端と各位相推定部１０５の出力端とが接続される同期検波部１０６の複数個と、複数の同期検波部１０６の出力端が接続されるレイク合成部（ＲＡＫＥ合成部）１０７と、ＲＡＫＥ合成部１０７の出力端が接続されるチャネルデコーダ（ＣＨ−Ｄｅｃｏｄｅｒ）１０８と、複数の位相推定部１０５の出力端が接続されるＲＳＣＰ測定部１０９と、ＲＳＣＰ測定部１０９の出力端が接続されるプライマリセル判定部１１０と、プライマリセル判定部１１０の制御入力端に接続される制御部１１１と、プライマリセル判定部１１０の一方の出力端が接続されるチャネルエンデコーダ（ＣＨ−Ｅｎｃｏｄｅｒ）１１２と、ＣＨ−Ｅｎｃｏｄｅｒ１１２の出力端とＲＦ１０２の送信入力端との間に接続されるＤ／Ａ変換器１１３と、プライマリセル判定部１１０の他方の出力端とＲＡＫＥ合成部１０７の制御入力端との間に接続される遅延部１１４とを備えている。
【００３０】
次に、図１を参照して、以上のように構成された無線通信端末装置の動作について説明する。図１において、アンテナ１０１にて受信された受信信号は、ＲＦ１０２にて周波数変換・増幅され、ベースバンドの受信アナログ信号になる。この受信アナログ信号は、Ａ／Ｄ変換器１０３にて受信ディジタル信号に変換され、複数の逆拡散部１０４ａ、１０４ｂに入力する。各逆拡散部１０４ａ、１０４ｂは、Ａ／Ｄ変換器１０３が変換した受信ディジタル信号について逆拡散処理を行う。そのうち、逆拡散部１０４ａが出力する逆拡散信号にはＰ−ＣＰＩＣＨが含まれている。また、逆拡散部１０４ｂが出力する逆拡散信号にはＤＰＤＣＨが含まれている。
【００３１】
各位相推定部１０５は、各逆拡散部１０４ａが出力する逆拡散信号を同相加算して位相推定ベクトルを算出しＲＳＣＰ測定部１０９に出力する。一方、各同期検波部１０６は、各逆拡散部１０４ｂが出力する逆拡散信号に対して各位相推定部１０５が算出した位相推定ベクトルの複素共役を乗算し、つまり同期検波を行い、各フィンガの検波信号をＲＡＫＥ合成部１０７に出力する。
【００３２】
ＲＡＫＥ合成部１０７は、各フィンガの同期検波部１０６の出力のうち遅延部１１４の出力が指示するセルからの信号を合成する。ＣＨ−Ｄｅｃｏｄｅｒ１０８は、ＲＡＫＥ合成部１０７が出力したＲＡＫＥ合成信号に対して誤り訂正復号などを行う。
【００３３】
ＣＨ−Ｅｎｃｏｄｅｒ１１２は、プライマリセル判定部１１０の出力するＦＢＩビットと送信データとをフレームフォーマット内に組み込んで送信信号を生成する。生成された送信信号は、Ｄ／Ａ変換器１１３にてアナログ信号に変換され、ＲＦ部１０２を介してアンテナ１０１から無線送信される。
【００３４】
一方、ＲＳＣＰ測定部１０９は、位相推定部１０５が出力する位相推定ベクトルからＰ−ＣＰＩＣＨのＲＳＣＰを測定し、測定結果をプライマリセル判定部１１０に出力する。
【００３５】
制御部１１１は、上りリンク品質推定情報や、ギャップ長などコンプレストモードの各情報（コンプレスト情報）及びＳＳＤＴのＩＤ  ｃｏｄｅ長から決まるＦＢＩビット数を監視し、ＲＡＫＥ合成対象をプライマリセルに限定するか、或いは、プライマリセル以外のセルもＲＡＫＥ合成対象とするかを判断し、それに基づきプライマリセル判定部１１０を制御する。
【００３６】
具体的には、制御部１１１は、上りリンク品質推定情報から上り回線品質が所定の値より劣化したと判断した場合、或いは、コンプレスト情報（コンプレストフレームにおけるギャップ位置並びにギャップ長）とＳＳＤＴのＩＤ  ｃｏｄｅ長とから上りリンクで伝送できるＦＢＩビット数がＩＤ  ｃｏｄｅ長に対して一定の割合以下になると判断した場合は、プライマリセルに限定せず、ＤＰＤＣＨを送信すると推定される全セルをＲＡＫＥ合成対象とする情報を出力するようにプライマリセル判定部１１０を制御する。なお、上りリンク回線品質推定情報としては、例えばハードハンドオーバの動作情報や上り電力制御用ＴＰＣが連続してＵＰとなった場合、劣化しているものと判断することが挙げられる。
【００３７】
プライマリセル判定部１１０は、ＳＳＤＴ時にＲＳＣＰ測定部１０９が出力する各セルのＲＳＣＰを比較して最も大きいセルをプライマリセルと判定し、当該判定したプライマリセルのＩＤを基に生成したＦＢＩビットをＣＨ−Ｅｎｃｏｄｅｒ１１２に出力するとともに、制御部１１１から指示が無い場合は、当該判定したプライマリセルを遅延部１１４に出力する一方、上記のように制御部１１１から指示がある場合は、決定したプライマリセル情報の代わりにＤＰＤＣＨを送信すると推定されるセルをＲＡＫＥ対象とする信号を遅延部１１４に出力する。
【００３８】
これによって、遅延部１１４は、プライマリセル判定部１１０の決定したプライマリセル情報、或いは、ＤＰＤＣＨを送信すると推定されるセルもＲＡＫＥ対象とする信号を次のプライマリセル更新タイミングまで遅延してＲＡＫＥ合成部１０７に与え、ＲＡＫＥ合成部１０７がＲＡＫＥ合成対象とするセルを制御する。
【００３９】
このように、実施の形態１によれば、上り回線品質が劣化した場合は、或いは、コンプレストモードのギャップによってＦＢＩビットが一定の割合以上伝送されない場合は、ＲＡＫＥ合成対象をプライマリセルに限定せず、ＤＰＤＣＨを送信すると推定されるセル全てを対象とすることができる。これによって、ＳＳＤＴ時において、プライマリセル以外の複数のセルがＤＰＤＣＨを送信する状況下となる場合に最適なＲＡＫＥ合成が行えるようになる。
【００４０】
（実施の形態２）
図２は、本発明の実施の形態２に係る無線通信端末装置（移動局）の構成を示すブロック図である。なお、図２では、図１（実施の形態１）に示す構成要素と同一ないしは同等である構成要素には、同一の符号を付してある。ここでは、実施の形態２に関わる部分を中心に説明する。
【００４１】
図２に示すように、実施の形態２に係る無線通信端末装置では、図１（実施の形態１）に示す構成において、ＲＳＣＰ測定部１０９に代えてＲＳＣＰ測定部２０１が設けられ、プライマリセル判定部１１０に代えてプライマリセル判定部２０２が設けられ、制御部１１１に代えて制御部２０３が設けられている。
【００４２】
制御部２０３は、コンプレストフレームにおけるギャップ位置並びにギャップ長とＳＳＤＴのＩＤ  ｃｏｄｅ長とから、上りリンクで伝送できるＦＢＩビット数がＩＤ  ｃｏｄｅ長に対して一定の割合以下になると判断した場合は、ＲＳＣＰ測定部２０１及びプライマリセル判定部２０２に対してＲＳＣＰ測定処理及びプライマリセル判定処理を停止するように制御する。また、制御部２０３は、同時に、プライマリセル判定部２０２に対してＦＢＩの生成処理を停止するように制御する。
【００４３】
ＲＳＣＰ測定部２０１は、制御部２０３から停止指示が無い場合に、位相推定部１０５が出力する位相推定ベクトルからＰ−ＣＰＩＣＨのＲＳＣＰを測定し、測定結果をプライマリセル判定部２０２に出力するが、停止指示が有るとＲＳＣＰの測定をストップする。
【００４４】
プライマリセル判定部２０２は、制御部２０３から停止指示が無い場合に、ＳＳＤＴ時にＲＳＣＰ測定部２０１が出力する各セルのＲＳＣＰを比較して最も大きいセルをプライマリセルと判定し、当該判定したプライマリセルのＩＤを基に生成したＦＢＩビットをＣＨ−Ｅｎｃｏｄｅｒ１１２に出力するとともに、当該判定したプライマリセルを遅延部１１４に出力する。
【００４５】
一方、プライマリセル判定部２０２は、上記のように制御部２０３から停止指示が有る場合には、プライマリセルの決定は行わず、遅延部１１４に対してプライマリセル情報の代わりに全てのセルをＲＡＫＥ合成対象とする信号を出力する。また、プライマリセル判定部２０２は、ＦＢＩビットの生成は行わない。したがって、ＣＨ−Ｅｎｃｏｄｅｒ１１２は、ＦＢＩビットを送信しない。あるいは特定の値を繰り返し送信することとなる。
【００４６】
これによって、遅延部１１４は、プライマリセル判定部２０２の決定したプライマリセル情報、或いは、全てのセルをＲＡＫＥ対象とする信号を次のプライマリセル更新タイミングまで遅延してＲＡＫＥ合成部１０７に与え、ＲＡＫＥ合成部１０７がＲＡＫＥ合成対象とするセルを制御する。
【００４７】
このように、実施の形態２によれば、コンプレストモード時のギャップによってＦＢＩビットが一定の割合以上伝送できない場合は、ＲＳＣＰ測定処理とプライマリセル判定処理とを停止するので、ギャップから復帰後の受信スロットで全セルをＲＡＫＥ合成対象とすることができる。
【００４８】
また、コンプレストモードのギャップによってＦＢＩビットを一定の割合以上伝送できない場合は、ＦＢＩビットを伝送してもセル側がＦＢＩビットを考慮しない状況であるので、無駄になるＲＳＣＰ測定処理、プライマリセル判定処理及びＦＢＩビット生成処理を停止するようにした。したがって、コンプレストモードでの処理量を削減することができるので、低消費電力化が図れる。
【産業上の利用可能性】
【００４９】
本発明は、ＳＳＤＴ動作時において上り回線の品質が劣化した場合や、コンプレストモード時にコンプレストモード情報並びにギャップ長から上りリンクで伝送できるＦＢＩビット数が一定の割合以下になる場合に、最適にＲＡＫＥ合成するのに有用である。
【図面の簡単な説明】
【００５０】
【図１】本発明の実施の形態１に係る無線通信端末装置（移動局）の構成を示すブロック図
【図２】本発明の実施の形態２に係る無線通信端末装置（移動局）の構成を示すブロック図
【図３】コンプレストモードでの上りスロットの構成を示す図
【図４】ＳＳＤＴ時における動作を説明するシステム図
【符号の説明】
【００５１】
１０１  アンテナ
１０２  無線部（ＲＦ）
１０３  Ａ／Ｄ変換器
１０４ａ、１０４ｂ  逆拡散部
１０５  位相推定部
１０６  同期検波部
１０７  ＲＡＫＥ合成部
１０８  チャネルデコーダ（ＣＨ−Ｄｅｃｏｄｅｒ）
１０９、２０１  ＲＳＣＰ測定部
１１０、２０２  プライマリセル判定部
１１１、２０３  制御部
１１２  チャネルエンデコーダ（ＣＨ−Ｅｎｃｏｄｅｒ）
１１３  Ｄ／Ａ変換器
１１４  遅延部
【図１】
2006101210.tif 000003
【図２】
2006101210.tif 000004
【図３】
2006101210.tif 000005
【図４】
2006101210.tif 000006